(57)【要約】【課題】接続された外部記憶媒体に記録された楽曲データを、楽曲の誤表示をすることなく短時間で利用することができる、コンテンツ再生装置を提供する。【解決手段】外部Ｉ／Ｆ１４に外部記憶媒体２０が接続されたときに、制御部１０は、外部記憶媒体２０に記憶されているコンテンツデータに係るデータベースの有無を判断する。制御部１０は、データベースが有ると判断した場合は、データベースを用いてコンテンツの処理を行い、データベースが無いと判断した場合は、コンテンツデータに係るデータベースを生成して、外部記憶媒体２０に記憶させる。【選択図】図１
2011123982.tif 000002
【特許請求の範囲】
【請求項１】
コンテンツデータが記憶される外部記憶媒体を接続する接続手段、
前記接続手段に前記外部記憶媒体が接続されたときに、前記外部記憶媒体に記憶されているコンテンツデータに係るデータベースの有無を判断し、前記データベースが有ると判断した場合は、前記データベースを用いてコンテンツの処理を行い、前記データベースが無いと判断した場合は、前記コンテンツデータに係るデータベースを生成して、前記外部記憶媒体に記憶させる制御手段、
を備えることを特徴とするコンテンツ再生装置。
【請求項２】
ユーザの操作を受け付ける操作手段をさらに有し、
前記制御手段は、前記操作手段によって前記外部記憶媒体に記憶されているコンテンツデータに対して外部記憶媒体に記憶されている前記データベースの改変を要する処理が行なわれた場合は、改変後の前記コンテンツデータに係るデータベースを生成するとともに前記外部記憶媒体に記憶させることを特徴とする、請求項１に記載のコンテンツ再生装置。
【請求項３】
ユーザの操作を受け付ける操作手段をさらに有し、
前記制御手段は、前記操作手段によって前記外部記憶媒体のコンテンツデータに係るデータベース生成の操作を受け付けた場合は、前記コンテンツデータに係るデータベースを生成して、前記外部記憶媒体に記憶させることを特徴とする、請求項１に記載のコンテンツ再生装置。
【請求項４】
コンテンツデータが記憶される外部記憶媒体が接続されたか否かを検出する接続ステップ、
前記接続ステップにおいて前記外部記憶媒体が接続されたときに、前記外部記憶媒体に記憶されているコンテンツデータに係るデータベースの有無を判断する判断ステップ、
前記判断ステップにおいて前記データベースが有ると判断した場合は、前記データベースを用いてコンテンツの処理を行うステップ、
前記判断ステップにおいて前記データベースが無いと判断した場合は、前記コンテンツデータに係るデータベースを生成して、前記外部記憶媒体に記憶させるステップ、
を備えることを特徴とするコンテンツ再生装置の制御方法。
【請求項５】
請求項４に記載のコンテンツ再生装置の制御方法の各ステップをコンピュータに実行させるプログラム。
【発明の詳細な説明】
【技術分野】
【０００１】
本発明は、コンテンツ再生装置、コンテンツ再生装置の制御方法およびプログラムに関する。
【背景技術】
【０００２】
近年、音楽等の楽曲データを各種フォーマットの圧縮ファイルとして記録再生する利用形態が一般的になっている。さらに、ＵＳＢメモリやメモリカード等の可搬型の外部記憶媒体の記憶容量の増大により、これら外部記憶媒体に複数の楽曲データを記憶させ、各種コンテンツ再生装置に接続して再生する利用形態も普及している。
【０００３】
図１０は、上述するような楽曲データを記憶した外部記憶媒体を、従来のコンテンツ再生装置に接続した場合の処理を示すフローチャートである。
【０００４】
従来のコンテンツ再生装置は、外部記憶媒体が接続されたと判定されると（ステップＳ１００：Ｙｅｓ）、接続された外部記憶媒体より楽曲情報を取得し（ステップＳ１０１）、楽曲データベースを生成する（ステップＳ１０２）。取得する楽曲情報は、外部記憶媒体に記憶されている楽曲データのタグ情報等である。
【０００５】
楽曲データベースを生成すると、従来のコンテンツ再生装置は、生成した楽曲データベースを、自機が有する記憶部に記憶させるとともに（ステップＳ１０３）、その楽曲データベースを元に外部記憶媒体における楽曲の検索や再生を行う（ステップＳ１０４）。
【０００６】
このように、接続された外部記憶媒体に記憶されている楽曲データベースを生成する装置としては、特許文献１に記載された電子装置が知られている。この電子装置においては、外部記憶媒体が接続された場合に、外部記憶媒体のデータの階層に基づいて仮データベースを生成して自機に記憶することが記載されている。
【先行技術文献】
【特許文献】
【０００７】
【特許文献１】特開２００８−０８３９１４号公報
【発明の概要】
【発明が解決しようとする課題】
【０００８】
従来のコンテンツ再生装置においては、接続される外部記憶媒体に記憶された楽曲データを解析して生成される楽曲データベースを、コンテンツ再生装置が備える記憶部に記憶させる。このため、楽曲データベースを生成して記憶した後に、異なる楽曲データが記憶されている他の外部記憶媒体を接続した場合、実際に外部記憶媒体に記憶されている楽曲データとは異なった楽曲データ情報が表示されてしまう。従って、表示された楽曲を選択しても、外部記憶媒体にその楽曲が記憶されていないために、再生することができない。
【０００９】
また、従来のコンテンツ再生装置において、接続される外部記憶装置に記憶された楽曲データベースを生成し記憶後、外部記憶装置がコンテンツ再生装置から取り外された場合に、楽曲データベースを破棄する機能を有する場合もある。この場合、他の外部記憶媒体が接続された場合であっても、同一の外部記憶媒体が再度接続された場合であっても、楽曲データベースを新規に生成する。このため、外部記憶媒体の接続毎に行う楽曲データベースの生成に時間がかかり、楽曲データベースを生成するまでの間、楽曲の検索ができなくなってしまう。
【００１０】
本発明はこのような問題点に鑑みなされたものであり、接続された外部記憶媒体に記憶された楽曲データを、楽曲の誤表示をすることなく短時間で利用可能にする、コンテンツ再生装置を提供することを目的とする。
【課題を解決するための手段】
【００１１】
上述した目的を達成するために、第１の発明に係るコンテンツ再生装置は、コンテンツデータが記憶される外部記憶媒体を接続する接続手段、前記接続手段に前記外部記憶媒体が接続されたときに、前記外部記憶媒体に記憶されているコンテンツデータに係るデータベースの有無を判断し、前記データベースが有ると判断した場合は、前記データベースを用いてコンテンツの処理を行い、前記データベースが無いと判断した場合は、前記コンテンツデータに係るデータベースを生成して、前記外部記憶媒体に記憶させる制御手段、を備えることを特徴とする。
【００１２】
第２の発明に係るコンテンツ再生装置は、第１の発明において、ユーザの操作を受け付ける操作手段をさらに有し、前記制御手段は、前記操作手段によって前記外部記憶媒体に記憶されているコンテンツデータに対して外部記憶媒体に記憶されている前記データベースの改変を要する処理が行なわれた場合は、改変後の前記コンテンツデータに係るデータベースを生成するとともに前記外部記憶媒体に記憶させることを特徴とする。
【００１３】
第３の発明に係るコンテンツ再生装置は、第１または第２の発明において、前記制御手段は、前記操作手段によって前記外部記憶媒体のコンテンツデータに係るデータベース生成の操作を受け付けた場合は、前記コンテンツデータに係るデータベースを生成して、前記外部記憶媒体に記憶させることを特徴とする。
【００１４】
第４の発明に係るコンテンツ再生装置の制御方法は、コンテンツデータが記憶される外部記憶媒体を接続する接続ステップ、前記接続ステップにおいて前記外部記憶媒体が接続されたときに、前記外部記憶媒体に記憶されているコンテンツデータに係るデータベースの有無を判断し、前記データベースが有ると判断した場合は、前記データベースを用いてコンテンツの処理を行い、前記データベースが無いと判断した場合は、前記コンテンツデータに係るデータベースを生成して、前記外部記憶媒体に記憶させる制御ステップ、を備えることを特徴とする。
【００１５】
第５の発明に係るプログラムは、第４の発明における各ステップをコンピュータに実行させる。
【発明の効果】
【００１６】
本発明のコンテンツ再生装置は、接続された外部記憶媒体に記録された楽曲データを、楽曲の誤表示をすることなく短時間で利用することができる。
【図面の簡単な説明】
【００１７】
【図１】本発明におけるコンテンツ再生装置を構成するブロック図である。
【図２】本発明におけるコンテンツ再生装置の外観斜視図である。
【図３】本発明における第１の実施例に係るコンテンツ再生装置の動作を表すフローチャートである。
【図４】本発明における第１の実施例に係るコンテンツ再生装置の楽曲検索時の階層構造を表す概念図である。
【図５】本発明における第１の実施例に係るコンテンツ再生装置の楽曲検索時の階層構造を表す概念図である。
【図６】本発明における第１の実施例に係るコンテンツ再生装置の楽曲検索時の階層構造を表す概念図である。
【図７】本発明における第１の実施例に係るコンテンツ再生装置の楽曲検索時の階層構造を表す概念図である。
【図８】本発明における第２の実施例に係るコンテンツ再生装置の動作を表すフローチャートである。
【図９】本発明における第３の実施例に係るコンテンツ再生装置の動作を表すフローチャートである。
【図１０】従来のコンテンツ再生装置の動作を表すフローチャートである。
【発明を実施するための形態】
【００１８】
以下、本発明のコンテンツ再生装置の第１の実施例について、図１および図２を参照して説明する。図１は、本発明の各実施例におけるコンテンツ再生装置のブロック図であり、コンテンツ再生装置は、車載メディア装置、車載ナビゲーション装置、据置型メディア装置、ポータブルメディア装置、携帯電話装置等、外部記憶媒体が接続され、外部記憶媒体内のコンテンツデータの再生を行うことが可能な各種装置を対象とする。
【００１９】
図２は、本発明のコンテンツ再生装置の例として、車載メディア装置の外観斜視図である。このようなコンテンツ再生装置は、自動車に搭載されＣＤやＤＶＤ、ラジオ放送、接続される外部記憶媒体のコンテンツ等を再生する。
【００２０】
図１および図２に示すコンテンツ再生装置１は、制御部１０、表示部１１、操作部１２、記憶部１３、外部Ｉ／Ｆ１４、音声処理部１５、音声入出力部１６、外部記憶媒体接続口１８を備え、外部Ｉ／Ｆ１４には外部記憶媒体接続口１８に挿入された外部記憶媒体２０が接続される。
【００２１】
制御部１０は、例えば、ＣＰＵ（Central Processing Unit）、ＲＡＭ（Random Access Memory）、ＲＯＭ（Read Only Memory）、ＤＳＰ（Digital Signal Processor）等を備えて構成される。
【００２２】
制御部１０におけるＣＰＵは、制御手段として、音声再生装置１０の各部からの操作信号やデータに基づき、ＲＯＭに記憶された各種プログラムをＲＡＭ上で実行することによって、各部の制御を行い、後述する記憶部１３や後述する外部Ｉ／Ｆ１４に接続された外部記憶媒体２０に記憶された音声データの再生や、停止、繰返し再生等の各種制御を行う。
【００２３】
制御部１０におけるＣＰＵは、制御手段として、後述する記憶部に記憶された楽曲データや、後述する外部Ｉ／Ｆ１４に接続された外部記憶媒体２０に記憶された楽曲データのメタデータを読み込んで楽曲データベースを生成し、さらには楽曲データベースを読み込み、後述する操作部１２による操作に従い楽曲の検索処理を行う。
【００２４】
制御部１０におけるＤＳＰは、再生する楽曲データの各種処理、例えば音質補正や音場補正、後述する音声処理部１５または音声入出力部１６より入力されるデジタル音声データを各種フォーマットの圧縮音声データに変換するエンコード処理、各種フォーマットの圧縮音声データを後述する音声処理部または後述する音声入出力部１６へ出力するデジタル音声データに変換するデコード処理等を行う。
【００２５】
表示部１１は、後述する操作部１２による操作の状態や、コンテンツ再生装置１の動作状態、コンテンツ再生装置１で再生するコンテンツデータに関する各種情報、コンテンツデータの検索情報等を表示し、例えば液晶表示素子や有機ＥＬ（Electro Luminescence）表示素子などにより構成される。
【００２６】
操作部１２は、操作手段として、ユーザがコンテンツ再生装置１を操作するユーザインターフェースであり、押しボタンスイッチやタッチスイッチ、表示部１１上に設けられたタッチパネルにより構成される。さらに操作部１２は、有線または無線により操作可能なリモコン送信機であってもよい。
【００２７】
記憶部１３は、楽曲データを含む音声データや、音声データに対応する写真等の画像データ、音声データのデータベース（楽曲データである場合は楽曲データベース）等を記憶する。記憶部１６は、例えばコンテンツ再生装置１に内蔵されるＨＤＤ（Hard Disk Drive）やフラッシュメモリより構成される。
【００２８】
外部Ｉ／Ｆ１４は、接続手段として、例えばＵＳＢ（Universal Serial Bus）端子やメモリカード端子であり、後述する外部記憶媒体２０としてのＵＳＢメモリやメモリカードを接続し、接続された外部記憶媒体２０との情報授受を行う。図２においては、外部記憶媒体２０が挿入される外部記憶媒体接続口１８がコンテンツ再生装置１の前面に設けられており、外部記憶媒体接続口１８に各種外部記憶媒体２０を挿入することにより、外部記憶媒体２０が外部Ｉ／Ｆ１４と接続される。
【００２９】
音声処理部１５は、後述する音声入出力部１６より入力されるアナログ音声信号をデジタル音声データに変換するＡＤＣ（Analog Digital Convertor）、および出力されるデジタル音声データをアナログ音声信号に変換して後述する音声入出力部１６に出力するＤＡＣ（Digital Analog Converter）である。
【００３０】
音声入出力部１６は、音声の入出力を行う端子、または音声の入力を行うマイクロホン、音声の出力を行うスピーカ等である。音声の入出力を行う端子の例としては、音声処理部１５を介してアナログ音声信号の入出力を行うステレオミニジャックや、音声処理部１５を介さずにデジタル音声データの入出力を行う光デジタル音声端子や同軸デジタル音声端子等である。
【００３１】
外部記憶媒体２０は、フラッシュメモリ等を用いた可搬記憶媒体であり、例えば、ＵＳＢメモリやメモリカードである。
【００３２】
次に、本発明におけるコンテンツ再生装置１の第１の実施例に係る動作について、図３を参照して説明する。先ず、制御部１０は外部Ｉ／Ｆ１４に外部記憶媒体２０が接続されたか否かを判断する（ステップＳ１）。
【００３３】
ステップＳ１において、制御部１０が外部Ｉ／Ｆ１４に外部記憶媒体２０が接続されていないと判断している場合は（ステップＳ１：Ｎｏ）、外部記憶媒体２０の接続がなされるまでステップＳ１の判断を繰り返す。ステップＳ１の判断中は、コンテンツ再生装置１は、待機状態であってもよく、記憶部１３に記憶されているコンテンツに係る動作等、コンテンツ再生装置１における他の処理を行っていてもよい。
【００３４】
ステップＳ１において、外部Ｉ／Ｆ１４に外部記憶媒体２０が接続されたと判断した場合は（ステップＳ１：Ｙｅｓ）、外部記憶媒体２０に記憶されている各種データは制御部１０により処理可能となるため、ステップＳ２に移行する。
【００３５】
ステップＳ２において、制御部１０は外部記憶媒体２０に記憶されている各種データを検索して、楽曲データベースの有無を判断する。楽曲データベースとは、所定の記憶媒体（記憶部１３や外部記憶媒体２０など）に記憶されている楽曲データより取得したメタデータを基に、それらの楽曲データを各種条件で検索可能にするデータベースである。
【００３６】
楽曲データベースの例としては、表１に示すように、各楽曲データのファイル名、ジャンル名、アーティスト名、アルバム名、タイトル名等のリストであり、このような楽曲データベースを用いることによって、ユーザは所定の記憶媒体に記憶されている楽曲データを、ジャンル名検索、アーティスト名検索、アルバム名検索、タイトル名検索等を容易に行うことができる。
【００３７】
【表１】
2011123982.tif 000003
【００３８】
ステップＳ２において、制御部１０は外部記憶媒体２０に楽曲データベースが有ると判断した場合（ステップＳ２：Ｙｅｓ）、制御部１０はその楽曲データベースに基づき外部記憶媒体２０に記憶された楽曲を処理するために、外部記憶媒体２０より楽曲データベースを取得する（ステップＳ７）。ここで取得した楽曲データベースは、コンテンツ再生装置１の記憶部１３や制御部１０が有するＲＡＭに記憶される。
【００３９】
ステップＳ７において、制御部１０が外部記憶媒体２０に記憶されている楽曲データの楽曲データベースを取得したため、この楽曲データベースを元に、外部記憶媒体２０に記憶された楽曲データの検索や再生等の処理を行う（ステップＳ８）。
【００４０】
ステップＳ８において、取得した楽曲データベースに基づいて楽曲データの選択や再生等の処理を行うことにより、本処理を終了する。
【００４１】
ステップＳ８において、制御部１０が取得した楽曲データベースを元に、外部記憶媒体２０に記憶された楽曲データを処理する例として、楽曲を検索する例を、図４から図７に基づき説明する。
【００４２】
図４は、楽曲データベースが表１の内容である場合に、ユーザが操作部１２を操作することによって、アーティスト名により楽曲データを検索する際の階層構造を示した例である。ユーザは、操作部１２の操作によりアーティスト名検索を選択すると、制御部１０は、楽曲データベースに基づいて、楽曲データベースに登録されているアーティスト名を表示部１１に表示する。例えば表１の場合Artist01およびArtist02が表示される。この表示はアーティスト数が多い場合はソートされ、さらにはスクロール表示されてもよい。
【００４３】
ユーザが操作部１２の操作により所望のアーティストを選択すると、制御部１０は、楽曲データベースに基づいて、選択されたアーティストに係るアルバム名を表示部１１に表示する。例えばArtist01が選択された場合は、Album01およびAlbum02が表示される。この表示はアルバム数が多い場合は、ソートされた順またはメタデータとして記録されている発表年順に表示され、さらにはスクロール表示されてもよい。
【００４４】
次に、ユーザが操作部１２の操作により所望のアルバムを選択すると、制御部１０は、楽曲データベースに基づき、表示部１１に選択されたアルバムに係るタイトル名を表示する。例えばAlbum01が選択された場合は、Title01およびTitle02が表示される。この表示はタイトル数が多い場合は、ソートされた順またはアルバムに収納されている順に表示され、さらにはスクロール表示されてもよい。
【００４５】
次に、ユーザが操作部１２の操作により所望のタイトル名を選択すると、制御部１０は、選択されたタイトル名の楽曲の再生を開始する。このように、コンテンツ再生装置１は、接続された外部記憶媒体２０に記録された楽曲の楽曲データベースを自機に有していなくとも、外部記憶媒体２０に記録されている楽曲データベースを取得することにより、接続された外部記憶媒体２０の楽曲データベースを外部記憶媒体２０の接続毎に生成することなく、迅速に楽曲データの検索や再生を行うことができる。
【００４６】
図５は、楽曲データベースが表１の内容である場合に、ジャンルにより楽曲データを検索する際の階層構造を示した例である。コンテンツ再生装置１の動作も図４の説明同様に、ユーザによる操作部１２の操作に基づいて、制御部１０の処理により、選択されたジャンルに係るアルバム名の表示、選択されたアルバム名に係るタイトル名が表示され、タイトル名を選択することにより選択された楽曲データを再生する。
【００４７】
図６は、楽曲データベースが表１の内容である場合に、アルバム名により楽曲データを検索する際の階層構造を示した例である。コンテンツ再生装置１の動作も図４の説明同様に、ユーザによる操作部１２の操作に基づいて、制御部１０の処理により、選択されたアルバム名に係るタイトル名が表示され、タイトル名を選択することにより選択された楽曲データを再生する。
【００４８】
図７は、楽曲データベースが表１の内容である場合に、タイトル名により楽曲データを検索する際の階層構造を示した例である。コンテンツ再生装置１の動作も図４の説明同様に、ユーザによる操作部１２の操作に基づいて、制御部１０の処理により、タイトル名が表示され、タイトル名を選択することにより選択された楽曲データを再生する。
【００４９】
図３に戻り、ステップＳ２において、制御部１０は外部記憶媒体２０に楽曲データベースが無いと判断した場合（ステップＳ２：Ｎｏ）、制御部１０は外部記憶媒体２０より楽曲情報を取得する（ステップＳ３）。取得する楽曲情報とは、外部記憶媒体２０に記憶されている楽曲データのタグ情報等である。
【００５０】
ステップＳ３において、外部記憶媒体２０の楽曲情報を取得すると、制御部１０は取得した楽曲情報に基づき、外部記憶媒体２０に記憶されている楽曲データの楽曲データベースを生成する（ステップＳ４）。ここで生成する楽曲データベースの例としては、前述した表１などである。
【００５１】
ステップＳ４において、制御部１０が外部記憶媒体２０に記憶された楽曲データの楽曲データベースを生成すると、制御部１０は生成した楽曲データベースが外部記憶媒体２０に記録可能か否かを判断する（ステップＳ５）。
【００５２】
ステップＳ５において、制御部１０が外部記憶媒体２０に楽曲データベースが記憶可能であると判断した場合（ステップＳ５：Ｙｅｓ）、生成した楽曲データベースを外部記憶媒体２０に記憶させる（ステップＳ６）。外部記憶媒体２０に楽曲データベースが記憶可能である状態とは、外部記憶媒体２０の記憶容量の残りが生成した楽曲データベースを記憶するのに十分であり、外部記憶媒体２０が制御部１０の制御によりデータの記録を可能としている場合である。
【００５３】
ステップＳ６において楽曲データベースを記憶させる外部記憶媒体２０は、ステップＳ３で楽曲情報を取得した外部記憶媒体２０であり、この処理を行うことによって、前述したステップＳ７およびステップＳ８により、外部記憶媒体２０に記憶された楽曲データベースを取得し、楽曲を検索や再生を行うことができる。
【００５４】
ステップＳ５において、制御部１０が外部記憶媒体２０に楽曲データベースが記憶不可であると判断した場合（ステップＳ５：Ｎｏ）、生成した楽曲データベースをコンテンツ再生装置１が有する記憶部１３に記憶させる（ステップＳ９）。
【００５５】
ステップＳ９において、制御部１０は記憶部１３に記憶させた楽曲データベースを元に、外部記憶媒体２０に記憶された楽曲データの検索や再生等の処理を行う（ステップＳ１０）。
【００５６】
ステップＳ１０において、記憶部１３に記憶した楽曲データベースに基づき、外部記憶媒体２０に記憶された楽曲データの選択や再生等の処理を行うことにより、本処理を終了する。ステップＳ１０における楽曲を検索する例は、上述した図４から図７による例と同一であり、外部記憶媒体２０に楽曲データベースを記憶することができなくとも、外部記憶媒体２０が接続されたときの楽曲データに基づく楽曲データベースに基づいた楽曲データの選択や再生等の処理を行うことができる。
【００５７】
図３に示すような処理により、コンテンツ再生装置１は、接続された外部記憶媒体２０に楽曲データベースが記憶されていた場合は、その楽曲データベースを使用し、記憶されていなかった場合は、新たに楽曲データベースを生成して外部記憶媒体２０に記憶させる。このために、コンテンツ再生装置１は、外部記憶媒体２０に記憶された楽曲データベースを用いて楽曲データの検索や再生を行うため、楽曲データの異なる他の外部記憶媒体２０が接続されても、接続された外部記憶媒体２０以外の楽曲データベースを用いてしまうことはなく、迅速かつ正確な情報で楽曲の検索や再生を行うことができる。
【００５８】
次に、本発明のコンテンツ再生装置１の第２の実施例について、図８を参照して説明する。第２の実施例に係るコンテンツ再生装置１の構成については、図１および図２で説明した第１の実施例と同一であるため省略する。さらに第２の実施例に係るコンテンツ再生装置１の動作については、図３の一部を除き図３から図７で説明した第１の実施例と同一であり、図３との差異は、ステップＳ８およびステップＳ１０のあとにステップＳ２０が追加されたことのみであるため、同一部分の説明については省略する。
【００５９】
ステップＳ８およびステップＳ１０において、制御部１０が外部記憶媒体２０に記憶されている楽曲データの検索や再生を可能とした後、ユーザが操作部１２を操作することにより、接続した外部記憶媒体２０が記憶している楽曲データに何らかの改変を加えた場合（ステップＳ２０：Ｙｅｓ）、ステップＳ７に移行し、再度楽曲データベースの生成を行う。
【００６０】
ステップＳ２０において、楽曲データの改変が行われなかった場合（ステップＳ２０：Ｎｏ）、本処理を終了する。
【００６１】
ここでいう、楽曲データの改変とは、コンテンツ再生装置１に接続されている外部記憶媒体２０に記憶されている楽曲データの消去や追加、ファイル名、ジャンル、アーティスト名、アルバム名、タイトル名等の変更など、楽曲データベースの内容と楽曲データとの整合がとれなくなるような操作を指す。
【００６２】
このような第２の実施例に係るコンテンツ再生装置１は、接続した外部記憶媒体２０の楽曲データを、コンテンツ再生装置１によって改変した場合であっても、楽曲データの誤表示をすることが無いため、正確な情報で楽曲の検索や再生を行うことができる。
【００６３】
次に、本発明のコンテンツ再生装置１の第３の実施例について、図９を参照して説明する。第２の実施例に係るコンテンツ再生装置１の構成については、図１および図２で説明した第１の実施例と同一であるため省略する。さらに第３の実施例に係るコンテンツ再生装置１の動作については、図３の一部を除き図３から図７で説明した第１の実施例と同一であり、図３との差異は、ステップＳ８およびステップＳ１０のあとにステップＳ３０が追加されたことのみであるため、同一部分の説明については省略する。
【００６４】
ステップＳ８およびステップＳ１０において、制御部１０が外部記憶媒体２０に記憶されている楽曲データの検索や再生を可能とした後、ユーザが操作部１２を操作することにより、接続した外部記憶媒体２０が記憶している楽曲データの生成を指示した場合（ステップＳ３０：Ｙｅｓ）、ステップＳ７に移行し、楽曲データベースの生成を行う。
【００６５】
ステップＳ３０は、ステップＳ７により一旦楽曲データベースを取得した後、楽曲データベースを再度生成する動作であり、その理由としては、外部記憶媒体２０の楽曲データの改変が、コンテンツ再生装置１ではなく他の機器により行われ、その改変内容が楽曲データベースに反映されていない場合に行う。
【００６６】
例としては、ステップＳ２において外部記憶媒体２０に楽曲データベースがある場合（ステップＳ２：Ｙｅｓ）、ステップＳ７により外部記憶媒体２０から取得した楽曲データベースを用いて楽曲を選択した際に、他の機器による楽曲データの改変が行われていたために、選択対象の楽曲データと同一名称の楽曲データが存在しなかったり、表示されていない楽曲データが記憶されていたりなど、楽曲データと楽曲データベースとの整合がとれていない場合である。
【００６７】
そのような場合、ユーザによる操作部１２の操作によって、制御部１０は接続されている外部記憶媒体２０に係る楽曲データベースを生成し、外部記憶媒体２０に記憶させるため、楽曲データと楽曲データベースとが整合され、コンテンツ再生装置１は、外部記憶媒体２０に記憶された楽曲データベースを用いることができる。
【００６８】
このような第３の実施例に係るコンテンツ再生装置１は、接続した外部記憶媒体２０の楽曲データが、コンテンツ再生装置１以外の機器によって改変されていた場合であっても、楽曲データの誤表示をすることが無いため、正確な情報で楽曲の検索や再生を行うことができる。
【００６９】
以上、実施例に基づき本発明を説明したが、本発明はその主旨を逸脱しない限りこれに限定されるものではない。例えば、各実施例において外部記憶媒体２０をＵＳＢメモリやメモリカードとして説明したが、再生機能を有するポータブルオーディオプレイヤ等であってもよい。この場合、ポータブルオーディオプレイヤはコンテンツ再生装置１に接続されると、マスストレージとして動作する。
【００７０】
このような場合、楽曲データベースは、ポータブルオーディオプレイヤで用いる楽曲データベースと、コンテンツ再生装置１で用いる楽曲データベースとを共通の楽曲データベースとしてもよく、各々の装置で用いる楽曲データベースを各々ポータブルオーディオプレイヤに記憶させてもよい。
【００７１】
さらには、コンテンツ再生装置１で扱うコンテンツを楽曲データとして説明したが、これに限らず、画像データや動画データ、放送録音データ、放送録画データ、文字データなど、メタデータ等により検索用のデータベースが生成可能であるコンテンツデータであれば各種データが該当する。
【符号の説明】
【００７２】
１：コンテンツ再生装置、１０：制御部、１１：表示部、１２：操作部、１３：記憶部、１４：外部Ｉ／Ｆ、１５：音声処理部、１６：音声入出力部、２０：外部記憶媒体
【図１】
2011123982.tif 000004
【図２】
2011123982.tif 000005
【図３】
2011123982.tif 000006
【図４】
2011123982.tif 000007
【図５】
2011123982.tif 000008
【図６】
2011123982.tif 000009
【図７】
2011123982.tif 000010
【図８】
2011123982.tif 000011
【図９】
2011123982.tif 000012
【図１０】
2011123982.tif 000013